(57)【要約】      （修正有）【課題】一定の球道で簡単かつ正確にボールをトスすることができる安価で有用なトスマシンを提供する。【解決手段】所定大きさの基体と、該基体に設けられた一対のトスレール２，２とを備える。前記基体は、木材、合成樹脂材若しくは金属等の適宜素材からなる伸縮自在なポール１ａと、該ポール１ａの下端に着脱自在に組み付けられたキャスター付きスタンド１ｂと、前記ポール１ａの略中間位置に突設された捕球カゴ３とから構成される。前記トスレール２，２は、基体１に角度調整自在な取付金具を介して変位自在に設けられた一対の湾曲レールからなり、上端２ａから下端２ｂに向けてボールが自重で上手く転げ落ちるように高低差をつけて配設されると共に、ボールが途中で落ちないように全体をして樋状に形成せしめる。【選択図】図１
0003142354.tif 000002
【実用新案登録請求の範囲】
【請求項１】
所定大きさの基体と、上端から下端に向けてボールが転がるべく前記基体に角度若しくは高低差をつけて配設されたトスレールとを備えたことを特徴とするトスマシン。
【請求項２】
前記トスレールは、基体に対して変位自在に設けられた一対の湾曲レールからなることを特徴とする請求項１に記載のトスマシン。
【請求項３】
前記基体は、伸縮自在に形成されると共に、少なくとも一以上のボールを入れて置くための捕球カゴを付設してなることを特徴とする請求項１に記載のトスマシン。
【考案の詳細な説明】
【技術分野】
【０００１】  本考案は、ソフトボールや野球のバッティング練習に使用されるトスマシンに関し、更に詳しくは、頗る簡単な構成でありながら誰でも一定の球道で簡単かつ正確にボールをトスすることができる安価で有用なトスマシンに関する。
【背景技術】
【０００２】  一般に、バッティングの基礎練習には、トスバッティング練習が非常に重要視されており、このトスバッティングを行なう場合には、バッターの斜め前方にボールをトスする人（トッサー）が立ち、バッターの懐（詳しくは、ベルトの高さ）に目がけてボールを所定のタイミングでトスし、バッターはこのトスされたボールを打つことでバッティングフォームやミートポイントの確認等を行っている。【０００３】  而して、トスする人の腕の振り方や力加減の違いで、トスの位置（高低）やタイミングが微妙に異なってしまい、一定のタイミングとフォームで打撃練習をすることができないことに鑑み、昨今では、人に代わって機械的にボールをトスすることができるトスマシンが案出されている。【０００４】  従来、斯かるトスマシンとしては、例えば、カムの回転に応じて回動することによりボールをトスする打出板と、この打出板のトス方向の回動を付勢する付勢バネ部が設けられたトスマシンにおいて、前記付勢バネ部は、２本のバネと、これら各バネの一端を取付ける固定バーと、この固定バーの位置を調整可能な調整段部とからなり、前記打出板は、支点を中心に回動自在に取付けられる柄と、ボールを受入れるボール受けと、前記柄の長手方向に交差するように固定されると共に、前記固定バーから柄の長手方向の左右に、略平行に配置される前記バネのそれぞれの他端を取付ける取付アームと、前記カムの回転に従動すると共に、前記バネに付勢された打出板の回動を停止させるストッパからなるトスマシンが発案されている（例えば、特許文献１参照）。
【特許文献１】特開２００６−１９７９８８号公報
【考案の開示】
【考案が解決しようとする課題】
【０００５】  しかしながら、上述した従来のトスマシンにあっては、カム、打出板、付勢バネ、固定バー、取付アームなど部品点数が多くて構造が複雑であるため、高価になってしまうといった問題があり、モーターやバッテリー等を使うことなく子供から大人まで誰でも簡単かつ正確にトスをすることができる安価なトスマシンが要望されている。【０００６】  本考案はこのような従来の問題点及び要望に鑑みてなされたもので、頗る簡単な構造でありながら誰でも簡単かつ正確にボールをトスすることができる安価で有用なトスマシンを提供することを目的としたものである。
【課題を解決するための手段】
【０００７】  上述の如き従来の問題点を解決し、所期の目的を達成するため本考案の要旨とする構成は、所定大きさの基体と、上端から下端に向けてボールが転がるべく角度若しくは高低差をつけて前記基体に配設されたトスレールとを備えてなるトスマシンに存する。【０００８】  前記トスレールは、基体に対して変位自在に設けられた一対の湾曲レールからなるのが良い。【０００９】  更に、前記基体は、伸縮自在に形成されると共に、少なくとも一以上のボールを入れて置くための捕球カゴを付設しておくのが良い。
【考案の効果】
【００１０】  本考案は上述のように構成され、所定大きさの基体と、上端から下端に向けてボールが転がるべく角度若しくは高低差をつけて前記基体に配設されたトスレールとを備えたことによって、モーターやバッテリーを使うことなくボールをトスレールに置くだけで、誰にでも常に一定のリズムと球道でボールを正確にトスできる有用なトスマシンを提供できることとなった。【００１１】  また、前記トスレールは、基体に対して変位自在に設けられた一対の湾曲レールであることによって、同レールの上からボールを転がすだけで、打者に対し一定のスピードで、かつ、タイミングがとり易いように一定した球道で、換言すれば、ボールを弓なりに移動させながらボールを正確にトスすることができると共に、トスの角度も変更することができるといった効果を奏する。【００１２】  しかも、一対のレールを左右対象（背合わせ状態）に変位させるだけで、一度に左右両打席にボールをトスすることができるため、効率の良い打撃練習（ティーバッティング）が行えるといった効果を兼備する。【００１３】  更に、前記基体は、伸縮自在に形成されると共に、少なくとも一以上のボールを入れて置くための捕球カゴを付設したことによって、打者の背丈に合わせて任意にボールのトス位置を変えることができると共に、ボールの高低は勿論のこと、アウトコース、インコースの打ち分けができ、また、沢山のボールを捕球カゴに入れて置くことができるため、ボールの数だけ連続して打撃練習ができるといった効果を奏する。【００１４】  このように本考案のトスマシンは、子供から大人まで誰がトスしても常に一定のリズムと球道で正確にトスできると共に、ミートポイントを直視でき、打撃フォームのチェックと安定感を向上させることができるものであり、また、構成が単純であるため大量生産に適し、価格も低廉なものとして需要者に供給できる等、本考案を実施することはその実益的価値が甚だ大である。
【考案を実施するための最良の形態】
【００１５】  所定大きさの基体と、該基体に設けられたボール用のトスレールとを備え、前記基体は、伸縮自在に形成されると共に、少なくとも一以上のボールを入れて置くための捕球カゴを付設し、かつ、前記トスレールは、基体に対して変位自在に設けられた一対の湾曲レールを用いるのが良い。
【実施例】
【００１６】  次に本考案に係るトスマシンの実施の一例を図面を参照しながら説明する。図中Ａは、本考案に係るトスマシンであり、このトスマシンＡは、所定大きさの基体１と、該基体１に設けられた一対のトスレール２，２とを備えている。【００１７】  前記基体１は、木材、合成樹脂材若しくは金属等の適宜素材からなる伸縮自在なポール１ａと、該ポール１ａの下端に着脱自在に組み付けられたキャスター付きスタンド１ｂと、前記ポール１ａの略中間位置に突設された捕球カゴ３とから構成されている。【００１８】  前記トスレール２，２は、基体１に角度調整自在な取付金具４を介して変位自在に設けられた一対の湾曲レールからなり、上端２ａから下端２ｂに向けてボールが自重で上手く転げ落ちるように高低差をつけて配設されると共に、ボールが途中で落ちないように全体をして樋状に形成されている。【００１９】  前記取付金具４は、トスレール２，２の上端２ａを縦（上下）方向に回動すべく螺合されたボルト４ａと、同レール２，２を横（左右）方向に伸縮すべく連結された連結部材４ｂとでトスレール２，２が上下左右に変位できるように組み付けられている。因に、トスレール２，２は、自転車に使用されている既存の車輪カバーで代用しても良い。【００２０】  尚、本明細書において言及している「変位自在」とは、トスレール２，２の位置、高さ、角度を自由に変えることができる意味であり、打者の体格に応じてベストの位置にボールをトスできるように調整できるものである。【００２１】  このように構成されるトスマシンＡは、まず、打者の背丈に合わせてボールのトス位置を調整すべく前記ポール１ａの高さ調整を行えば、トスレール２の上からボールを転がすだけで、打者に対し一定のスピードで、かつ、タイミングがとり易いように一定の球道（弓なり）でボールをトスすることができる他、ボールの高低のみならず、アウトコース、インコースの打ち分けができるのである。【００２２】  しかも、図４に示すように、両レール２，２を左右対称（背合わせ状態）に変位させることで、一度に左右両打席にボールをトスすることができるため、効率の良い打撃練習を行なうことができる他、モーターやバッテリーを使うことなく、また、全体をして軽量であるため、移動、運搬にも頗る便利であり、グランドや遠征時にも手軽に持ち運べるのである。【００２３】  尚、本考案のトスマシンは本実施例に限定されることなく、本考案の目的の範囲内で自由に設計変更し得るものであり、本考案はそれらの全てを包摂するものである。
【図面の簡単な説明】
【００２４】
【図１】本考案に係るトスマシンの正面図である。
【図２】同トスマシンの側面図である。
【図３】同トスマシンの分解図である。
【図４】同トスマシンの使用状態を示す説明図である。
【符号の説明】
【００２５】  １  基体
１ａ  ポール
１ｂ  キャスター付きスタンド
２  トスレール
２ａ  上端
２ｂ  下端
３  捕球カゴ
３ａ  捕球カゴ右台
３ｂ  捕球カゴ左台
４  取付金具
４ａ  ボルト
４ｂ  連結部材
【図１】
0003142354.tif 000003
【図２】
0003142354.tif 000004
【図３】
0003142354.tif 000005
【図４】
0003142354.tif 000006